(57)【要約】【課題】装置外部から振動や衝撃が加わった場合において、その振動や衝撃が直接的に内部機構に伝達されることを防止し、精度の高い記録再生を常時行うことが可能な小型軽量薄型のディスク記録再生装置を提供すること。【解決手段】本発明のディスク記録再生装置は、充電電池を保持するサブシャーシが弾性を有する金属で形成され、当該サブシャーシがディスク回転モータ、光学ユニット及び移動機構を保持するメインシャーシに固着されてメインシャーシと共に実質的に平面状に形成され、キャビネットに対してサブシャーシの一部が固着され、メインシャーシが遊動可能に係合している。【選択図】        図１
2004152383.tif 000002
【特許請求の範囲】
【請求項１】
ディスク状の記録媒体を回転駆動するディスク回転モータと、
前記記録媒体にデータを記録再生する光学ユニットと、
前記光学ユニットを前記記録媒体に対して移動させる移動機構と、
前記ディスク回転モータ、前記光学ユニット及び前記移動機構を保持するメインシャーシと、
充電電池を保持し、前記メインシャーシに固着されて前記メインシャーシと共に実質的に平面状に形成され、弾性を有する金属で形成されたサブシャーシと、
前記サブシャーシの一部が固着され、前記メインシャーシと遊動可能に係合したキャビネットと、
を具備するディスク記録再生装置。
【請求項２】
メインシャーシとサブシャーシが実質的に四角の平面状に形成され、前記四角の第１の辺に相当するサブシャーシの１辺がキャビネットに固着され、前記四角の第１の辺に対向する第２の辺に相当するメインシャーシの１辺がキャビネットと遊動可能に係合するよう構成された請求項１に記載のディスク記録再生装置。
【請求項３】
装置外観を形成するキャビネットが複数で構成され、その１つのキャビネットにサブシャーシが固着され、メインシャーシが遊動可能に係合するよう構成された請求項１又は２に記載のディスク記録再生装置。
【請求項４】
サブシャーシがキャビネットにネジ止めされ、メインシャーシに形成された孔が前記キャビネットに形成された突起と隙間を有して係合するよう構成された請求項１，２又は３のいずれかに記載のディスク記録再生装置。
【請求項５】
メインシャーシが樹脂で形成された請求項１，２，３又は４のいずれかに記載のディスク記録再生装置。
【請求項６】
メインシャーシが軽金属で形成された請求項１，２，３又は４のいずれかに記載のディスク記録再生装置。
【請求項７】
メインシャーシがアルミニウム材で形成された請求項１，２，３又は４のいずれかに記載のディスク記録再生装置。
【請求項８】
サブシャーシがステンレス材で形成された請求項１，２，３又は４のいずれかに記載のディスク記録再生装置。
【発明の詳細な説明】
【０００１】
【発明の属する技術分野】
本発明はディスク状の記録媒体に記録再生するディスク記録再生装置に関し、特に携帯用のディスク記録再生装置に関するものである。
【０００２】
【従来の技術】
ディスク状の記録媒体を光ピックアップにより読み取り再生する携帯用のディスク記録再生装置としては、携帯用ＭＤプレーヤーが一般に普及している。携帯用ＭＤプレーヤーは、カートリッジ内に直径６４ｍｍのディスク状の記録媒体を内蔵したミニディスク（ＭＤ）を用いて、このＭＤに記録された音楽を再生するものである。このような携帯用のディスク記録再生装置においては、手軽に持ち運べてどこででも記録再生できることが特徴であり、そのため小型軽量薄型化はもちろん、持ち運ぶことにより生じる装置外部からの振動や装置落下による衝撃が装置に加えられても確実に記録又は再生可能に構成することが重要である。
【０００３】
携帯用ＭＤプレーヤーでは、機器本体に収納する電源電池として、実質的に長板形状、すなわちガム型の充電電池（６５ｍｍ×１７ｍｍ×６ｍｍ）が使用されている。この充電電池は、携帯用ＭＤプレーヤーにおいては重量物であり、且つ大きな空間を機器内で占有するものである。したがって、携帯用ＭＤプレーヤーでは充電電池によりその形状及び重量が大きく制約されている。従来の携帯用ＭＤプレーヤーにおいては、できるだけ外観形状を小さくする目的で、充電電池を収納するための電池用シャーシをできるだけ薄く形成するために、高剛性で薄肉の金属材料、例えば０．３ｍｍの厚みのステンレス材を用いたものがある。そして、電池以外の主要な構成部品を保持するためのメインシャーシは、その軽量化を図るために軽比重金属材料として０．８ｍｍの厚みのアルミニウム材で形成されていたものがあった。このような携帯用ＭＤプレーヤーにおいては、メインシャーシや電池用シャーシが装置の外観をなすキャビネットに複数のネジにより固着されていた（例えば特許文献１参照）。
【０００４】
図８は従来の携帯用ＭＤプレーヤーの内部構成を示す側面図である。図８に示すように、携帯用ＭＤプレーヤーのディスク状の記録媒体（以下ディスクと称す）１８と、このディスク１８を内蔵するカートリッジ１９が装置内部に装着されている。
図８に示した従来の携帯用ＭＤプレーヤーは、電池用シャーシ２３ａと、電池以外の主要な構成部品を保持するメインシャーシ２３ｂが固着されてシャーシ２３が構成されている。電池用シャーシ２３ａには長板形状の充電電池が収納されるよう構成されている。メインシャーシ２３ｂには、カートリッジ１９内のディスク１８を回転させるディスク回転モータ、ディスク１８にアクセスする光学ユニットを移動させる移動機構などが組付けられている。
【０００５】
上記のように構成された携帯用ＭＤプレーヤーにおけるシャーシ２３は、シャーシ自体が金属製であるため重量物であり、かつ電池用シャーシ２３ａには充電電池が装着され、メインシャーシ２３ｂにはディスク回転モータ、移動機構が組み付けられているため、非常に重い部品となっている。このシャーシ２３は、装置本体の外観をなす外装上キャビネット２１と外装下キャビネット２２により構成された外装キャビネット内に配設されている。
図８の側面図に示すように、電池用シャーシ２３ａとメインシャーシ２３ｂが一体的に形成された金属製のシャーシ２３は、外装下キャビネット２２の前後（図８における外装下キャビネット２２の左右両側）に対して複数の止めビス２６，２６により固着されている。
【０００６】
装置本体の蓋をなす外装上キャビネット２１の内部にはカートリッジ１９を保持するホルダー（図示無し）が配設されている。外装上キャビネット２１は、装置本体の後部両側面に構成された支軸を中心に前面側を、ホルダーと共に持ち上げるように回動自在に構成されている。外装上キャビネット２１を開けた状態において、ホルダーに収納されたカートリッジ１９は着脱自在となる。ホルダー内にカートリッジ１９が保持された状態において、蓋である外装上キャビネット２１が閉じられることにより、カートリッジ１９がシャーシ２３に設けた複数のカートリッジと係合して、カートリッジ１９内のディスク１８がディスク回転モータのターンテーブル上に載置するよう構成されている。
【０００７】
以上のように構成された従来の携帯用ＭＤプレーヤーは、メインシャーシ２３ｂがアルミニウム合金等の軽比重材料で形成されており、電池用シャーシ２３ａが薄肉のステンレス材料で形成されている。
前述のように構成された従来の携帯用ディスク記録再生装置である携帯用ＭＤプレーヤーにおいては、メインシャーシ２３ｂが軽比重金属材料であるアルミニウム合金で形成され、電池用シャーシ２３ａが高剛性材料であるステンレス材料で形成されていた。このように構成することにより、従来の携帯用ＭＤプレーヤーはメインシャーシ２３ｂの軽量化と、電池用シャーシ２３ａの薄形化を図り、装置全体としての薄型軽量化を図っていた。
【０００８】
【特許文献１】
特開２００１−３１９４６５号公報（第３−４頁、第１図）
【特許文献２】
特許第２８３００９４号公報（第３頁、第１図）
【特許文献３】
特開平１０−３２６４８１号公報（第３頁、第１図）
【０００９】
【発明が解決しようとする課題】
前述のように構成された従来の携帯用ＭＤプレーヤーにおいては、シャーシ２３が金属製であるためシャーシ自体が重く、かつシャーシ２３には充電電池、ディスク回転モータ、移動機構等を保持するよう構成されているため、シャーシ全体として非常に重い部品となっていた。このシャーシ２３が、機器本体の外観をなす外装キャビネットに対してその前後において複数のビスにより締め付けられ固着されていた。
上記のように構成された従来の携帯用ＭＤプレーヤーにおいて、装置外部から振動や衝撃が加えられた場合、その振動や衝撃の力がそのままビスを介してシャーシ２３に伝わってしまい、シャーシ２３に実装されている機器や部品等に影響を与え、場合によっては装置の駆動性能を劣化させるという問題があった。
【００１０】
上記のような装置外部からの振動や衝撃を緩和する対策としては、一般的に弾性材を用いることが考えられる。例えば、装置外部からの振動や衝撃が加わったときにシャーシが接触する外装キャビネットの内壁面に弾性材を張り付けた構成の装置がある（例えば特許文献２及び特許文献３参照）。
しかし、このように外装キャビネットの内壁面に弾性材を張り付けるためには、その弾性材のための空間を確保する必要があり、装置全体としての外観形状が大きくなるという問題があった。したがって、このような弾性材を用いることは、携帯用のディスク記録再生装置における目標である小型軽量薄型化に大きな制限を加えるものであった。
【００１１】
本発明は、上記従来のディスク記録再生装置における問題を解決するものであり、装置外部から振動や衝撃が加わった場合においてもその振動や衝撃が直接的に内部機構に伝達されることを防止し、精度の高い記録再生を常時行うことが可能な小型軽量薄型のディスク記録再生装置を提供することを目的する。
【００１２】
【課題を解決するための手段】
本発明に係るディスク記録再生装置は、ディスク状の記録媒体を回転駆動するディスク回転モータと、
前記記録媒体にデータを記録再生する光学ユニットと、
前記光学ユニットを前記記録媒体に対して移動させる移動機構と、
前記ディスク回転モータ、前記光学ユニット及び前記移動機構を保持するメインシャーシと、
充電電池を保持し、前記メインシャーシに固着されて前記メインシャーシと共に実質的に平面状に形成され、弾性を有する金属で形成されたサブシャーシと、前記サブシャーシの一部が固着され、前記メインシャーシと遊動可能に係合したキャビネットと、を具備する。このように構成された本発明によれば、装置外部から振動や衝撃が加わった場合においてもその振動や衝撃が直接的に内部機構に伝達されることが防止され、小型軽量薄型のディスク記録再生装置を提供している。
【００１３】
また、本発明に係るディスク記録再生装置においては、メインシャーシとサブシャーシが実質的に四角の平面状に形成され、前記四角の第１の辺に相当するサブシャーシの１辺がキャビネットに固着され、前記四角の第１の辺に対向する第２の辺に相当するメインシャーシの１辺がキャビネットと遊動可能に係合するよう構成してもよい。
また、本発明に係るディスク記録再生装置においては、装置外観を形成するキャビネットが複数で構成され、その１つのキャビネットにサブシャーシが固着され、メインシャーシが遊動可能に係合するよう構成してもよい。
【００１４】
また、本発明に係るディスク記録再生装置においては、サブシャーシがキャビネットにネジ止めされ、メインシャーシに形成された孔が前記キャビネットに形成された突起と隙間を有して係合するよう構成してもよい。
また、本発明に係るディスク記録再生装置においては、メインシャーシを樹脂で形成してもよい。
また、本発明に係るディスク記録再生装置においては、メインシャーシを軽金属で形成してもよい。
また、本発明に係るディスク記録再生装置においては、メインシャーシをアルミニウム材で形成してもよい。
さらに、本発明に係るディスク記録再生装置においては、サブシャーシをステンレス材で形成してもよい。
【００１５】
【発明の実施の形態】
以下、本発明に係るディスク記録再生装置の好適な実施例を添付の図面を参照して説明する。
【００１６】
《実施例１》
図１は本発明に係る実施例１のディスク記録再生装置における内部構成を示す平面図である。図２は実施例１のディスク記録再生装置の外観を示す側面図である。図３は実施例１のディスク記録再生装置における内部機構の構成を示す図であり、（ａ）は背面図、（ｂ）は平面図、（ｃ）は正面図、（ｄ）は右側面図である。図４は図１に示したディスク記録再生装置の内部機構を除いた中間キャビネットを示す平面図である。図５は実施例１のディスク記録再生装置の側面断面図である。実施例１のディスク記録再生装置においては、その一例として携帯用ＭＤプレーヤーを用いて説明するが、本発明のディスク記録再生装置はディスク状の記録媒体に記録再生できる装置に適用可能である。
【００１７】
実施例１のディスク記録再生装置においては、主要な部品が取付けられる樹脂製のメインシャーシ１と充電電池１０を保持する金属製の電池用シャーシであるサブシャーシ２が一体的に固着されている。樹脂製のメインシャーシ１には、カートリッジ内の記録媒体であるディスクを載置してディスク回転モータにより回転するターンテーブル３、ディスクにアクセスする光学ユニットとしての光ピックアップ５を移動させる移動機構などが載置されて組付けられている。移動機構は、送りモータ４と、この送りモータ４の回転を伝導する伝導機構と、この伝導機構からの回転により駆動される送りシャフト６等を有している。このように構成された移動機構により、送りモータ４を回転駆動させることにより、送りシャフト６が回転する。この送りシャフト６には光ピックアップ５が螺合しているため、送りシャフト６の回転により光ピックアップ５は、カートリッジ内の記録媒体であるディスクの半径方向における所望の位置に移動する。
【００１８】
実施例１のディスク記録再生装置においては、機器本体内に収納される電源電池１０として、実質的に長板形状、すなわちガム型の充電電池（６５ｍｍ×１７ｍｍ×６ｍｍ）１０が使用されている。この充電電池１０は、重量物であり、且つ大きな空間を装置内部の空間を占有するものであるため、充電電池１０を収納するサブシャーシ２はできるだけ薄く形成されている。具体的には、高剛性で薄肉の金属材料、例えば０．３ｍｍの厚みのステンレス材を用いてサブシャーシ２は形成されている。これにより、実施例１のディスク記録再生装置の外観形状が充電電池１０で規定される形状と殆ど同じ形状となる。
【００１９】
充電電池１０を収納する電池用シャーシであるサブシャーシ２の長手方向の側面が、メインシャーシ１の一側面部分（図１におけるメインシャーシ１の下側の側面部分）に接して固着され一体的に形成されている。実施例１のディスク記録再生装置における主要な部品が取付けられた樹脂製のメインシャーシ１には、充電電池１０を保持する金属製のサブシャーシ２が一体的に固着され、その主面が実質的に四角の平面状を有するよう形成されている。メインシャーシ１とサブシャーシ２が固着された状態において、その幅が記録媒体であるディスクを有するカートリッジの幅と実質的に同じである。
【００２０】
上記のように構成されたメインシャーシ１とサブシャーシ２は、図２に側面図を示す装置本体の外観をなす本体キャビネット１３、中間キャビネット１２及び蓋となる上側キャビネット１４で構成された外装ケース内に収納されている。機器本体の蓋をなす上側キャビネット１４の内部にはカートリッジを保持するホルダー（図示無し）が配設されている。上側キャビネット１４は、装置本体の後部両側面に構成された支軸を中心に前面側を、ホルダーと共に持ち上げるように回動自在に構成されている。開閉釦８の操作により蓋である上側キャビネット１４を開けることにより、ホルダーに対してカートリッジが着脱自在となる。ホルダー内にカートリッジが保持された状態において、上側キャビネット１４が閉じられることにより、カートリッジがメインシャーシ１に設けた複数のカートリッジ受けと、サブシャーシ２に設けたカートリッジ受けと係合して、カートリッジ内のディスクがディスク回転モータのターンテーブル３上に確実に且つ正確に載置されるよう構成されている。
【００２１】
実施例１のディスク記録再生装置は、メインシャーシ１が樹脂材により形成されており、このメインシャーシ１にディスクの回転駆動機構、光ユニットの移動機構等の駆動部と、この駆動部のための電気回路基板等が設けられている。サブシャーシ２は高剛性材料で薄い弾性力を有するステンレス材料で形成されており、重量物である充電電池１０が保持されている。
このように実施例１のディスク記録再生装置においては、メインシャーシ１を樹脂材による軽量化と、サブシャーシ２の薄い高剛性材料を用いることによる薄形化を図っている。
【００２２】
実施例１において、サブシャーシ２におけるメインシャーシ１に対向する金属縁部分は樹脂製のメインシャーシ１に埋設されている。
メインシャーシ１が樹脂成形されるときサブシャーシ２が金型内に配置されて、サブシャーシ２のメインシャーシ１に対向する部分が樹脂により覆われるため、サブシャーシ２はメインシャーシ１に確実に固着され、メインシャーシ１とサブシャーシ２を固着したシャーシの主面は実質的に四角い平板な形状を有するよう形成される。
実施例１においては、メインシャーシ１を樹脂により形成しているため、メインシャーシ１に部品を取り付けるための取付部分も同時に高精度に形成することができる。このため、実施例１の構成によれば、少ない製造工程で信頼性の高いディスク記録再生装置を確実に得ることができる。
【００２３】
図３はメインシャーシ１とサブシャーシ２が固着されて一体的に形成されたシャーシ３０を示している。図３において、（ａ）が背面図であり、（ｂ）が平面図であり、（ｃ）が正面図であり、（ｄ）が右側面図である。
図３の（ｃ）に示すように、サブシャーシ２の正面側の両側近傍にはネジ孔２ａ，２ａが形成されている。シャーシ３０においてネジ孔２ａ，２ａが形成されたフレームと反対のフレーム、すなわち図３の（ａ）に示すメインシャーシ１の背面側フレームには複数の係合孔９が形成されている。これらの係合孔９は後述する中間キャビネットに形成された突起と係合可能に構成されている。
【００２４】
図４は実施例１のディスク記録再生装置における中間キャビネット１２を示す平面図である。図４に示すように、中間キャビネット１２の背面側内壁面（図４における上側に示すフレームの内面）には複数の係合突起１２ａが形成されている。これらの係合突起１２ａは中間キャビネット１２の正面側（図４における下側）に向いて突出しており、各種形状、例えば四角形、丸形等の形状を有している。また、中間キャビネット１２の背面側外壁面には、係合突起１２ａに対応する位置に外方へ突出するように位置決め突起１２ｃ（図７参照）が形成されている。
中間キャビネット１２の正面側内壁面（図４における下側に示すフレームの内面）には、その両側に止めビス７，７が挿入される２つのビス孔１２ｂ，１２ｂが形成されている。
このように構成された中間キャビネット１２の内側には、図３に示したメインシャーシ１とサブシャーシ２が固着されて一体的に形成されたシャーシ３０が配設される。
【００２５】
図５はシャーシ３０が機器の外装の一部をなす中間キャビネット１２に固着されて、本体キャビネット１３と上側キャビネット１４の内部に配設された状態を示す断面図であり、この断面図においてはディスク回転モータとターンテーブル３以外の内部機構を省略している。
図５に示すように、シャーシ３０の正面側フレーム（図５における左側フレーム）において、中間キャビネット１２のビス孔１２ｂを貫通した止めビス７がサブシャーシ２のネジ孔２ａに螺合して中間キャビネット１２とサブシャーシ２は固着されている。
【００２６】
図６は止めビス７とサブシャーシ２のネジ孔２ａとの螺合状態を示す部分拡大断面図である。図６に示すように、本体キャビネット１３と中間キャビネット１２とを貫通した止めビス７がサブシャーシ２に形成されたネジ孔２ａに螺合することにより、サブシャーシ２は装置の外装をなす本体キャビネット１３及び中間キャビネット１２に確実に固着される。
【００２７】
一方、シャーシ３０の背面側フレーム（図５における右側フレーム）において、中間キャビネット１２の内壁面に形成された複数の係合突起１２ａがメインシャーシ１に形成された係合孔９に隙間を有して係合している。
図７は、メインシャーシ１、中間キャビネット１２及び本体キャビネット１３の係合状態を示す部分拡大断面図である。図７に示すように、中間キャビネット１２の係合突起１２ａがメインシャーシ１の係合孔９に隙間を有して係合している。また、中間キャビネット１２の外壁面に形成された位置決め突起１２ｃは、係合突起１２ａの反対側に形成されており、本体キャビネット１３の位置決め孔１３ａに嵌合して固着されている。したがって、メインシャーシ１は、中間キャビネット１２に対してはある程度遊動するよう係合しており、本体キャビネット１３に対しては確実に固着されている。
【００２８】
上記のように構成された実施例１のディスク記録再生装置において、発明者らが落下実験を行ったところ従来の構成の装置に比べて格段の性能を有することが確認された。
図８に示したような従来の構成の装置において、１．２ｍの高さから落下させる落下実験を行った結果、光ピックアップのレンズの傾き角度が０．８°以上変化し、ディスクに書き込まれた情報を読み取ることができず、装置の使用が不可能になった。一方、本発明の実施例１のディスク記録再生装置に対して同様の落下実験を行ったところ、ディスクに書き込まれた情報は確実に読み取ることができ、装置の使用に問題はなかった。さらに、発明者らは、実施例１のディスク記録再生装置に対して１．５ｍの高さから落下実験を行ったところ、光ピックアップのレンズの傾き角度が０．６°程度までの変化におさまり、ディスクに書き込まれた情報を読み取ることができた。
実施例１のディスク記録再生装置においては、弾性を有する金属製のサブシャーシ２が装置外装であるキャビネットに固着されており、サブシャーシ２の背面側に固着されているメインシャーシ１がキャビネットには固着されておらず、ある程度遊動可能に構成されている。したがって、実施例１のディスク記録再生装置において外部から振動や衝撃が加わった場合、弾性力を有するサブシャーシ２においてある程度の振動が吸収されるため、実施例１のディスク記録再生装置は落下実験結果が飛躍的に向上している。
【００２９】
なお、上記実施例１においては、金属製のサブシャーシ２と樹脂製のメインシャーシ１とを固着して形成したシャーシ３０の場合について説明したが、金属製、例えば軽金属であるアルミニウム材料で形成されたメインシャーシ１を弾性を有する金属製のサブシャーシ２に固着してシャーシ３０を形成してもよい。このように構成した場合でも実施例１と同様の落下性能を有することを発明者は確認している。
【００３０】
なお、上記実施例１においてはサブシャーシとキャビネットとの固着方法をネジ止めにより構成した例で説明したが本発明はこのような固着方法に限定されるものではなく、本発明にはサブシャーシとキャビネットとを固着できる方法、例えばプレス方法、溶着方法等の一般的な固着方法が用いられる。
また、サブシャーシとキャビネットとの固着数とメインシャーシとキャビネットとの係合数は実施例１の構成に限定されるものではなく、その目的を達する数であれば本発明に含まれる。
【００３１】
【発明の効果】
以上、実施の形態について詳細に説明したところから明らかなように、本発明は次の効果を有する。
本発明によれば、装置外部から振動や衝撃が加わった場合においても、その振動や衝撃が直接的に内部機構に伝達されることが防止されており、精度の高い記録再生を常時行うことが可能な信頼性の高いディスク記録再生装置を提供することができる。
【００３２】
本発明によれば、薄い金属製のサブシャーシと軽い金属又は樹脂によりメインシャーシを形成して互いに固着することにより小型軽量薄型のディスク記録再生装置を提供することができる。
本発明によれば、メインシャーシを樹脂により構成することにより、少ない製造工程で信頼性の高いディスク記録再生装置を確実に得ることができる。
【図面の簡単な説明】
【図１】本発明に係る実施例１のディスク記録再生装置における内部構成を示す平面図である。
【図２】実施例１のディスク記録再生装置の外観を示す側面図である。
【図３】実施例１のディスク記録再生装置における内部機構の構成を示す図であり、（ａ）は背面図、（ｂ）は平面図、（ｃ）は正面図、（ｄ）は右側面図である。
【図４】図１に示したディスク記録再生装置の内部機構を除いたキャビネットを示す平面図である。
【図５】実施例１のディスク記録再生装置の内部機構の一部を省略し、キャビネットとシャーシとの関係を示す側面断面図である。
【図６】実施例１における止めビス７とサブシャーシ２のネジ孔２ａとの螺合状態を示す部分拡大断面図である。
【図７】実施例１におけるメインシャーシ１、中間キャビネット１２及び本体キャビネット１３の係合状態を示す部分拡大断面図である。
【図８】従来の携帯用ＭＤプレーヤーの内部構成を示す側面図である。
【符号の説明】
１    メインシャーシ
２    サブシャーシ
３    ターンテーブル
４    送りモータ
５    光ピックアップ
６    送りシャフト
７    止めビス
８    開閉釦
９    係合孔
１０    充電電池
１２    中間キャビネット
１３    本体キャビネット
１４    上側キャビネット
【図１】
2004152383.tif 000003
【図２】
2004152383.tif 000004
【図３】
2004152383.tif 000005
【図４】
2004152383.tif 000006
【図５】
2004152383.tif 000007
【図６】
2004152383.tif 000008
【図７】
2004152383.tif 000009
【図８】
2004152383.tif 000010